(57)【要約】【課題】簡単な構造で容易に移動着脱固定できる、しかも安価な鳥用給餌具を提供することである。【解決手段】観察する鳥の大きさに対応する皿状の餌具本体を設け、該餌具本体を水平に保持しながら着脱容易にして、立ち木の枝に固定する手段を設けることである。  また、前記餌具本体の上面所定の位置に、少なくとも一箇所の餌の固定手段を設ける。  また、前記餌具本体を、木の葉や花に類似させた形状や色彩にして設ける。  更に、前記餌具本体を立ち木の枝に固定する手段として、弾性を有する逆Ｕ文字止め具または通しバンドを設ける。【選択図】図１
2007006870.tif 000002
【特許請求の範囲】
【請求項１】
観察する鳥の大きさに対応する皿状の餌具本体を設け、該餌具本体を水平に保持しながら着脱容易にして、立ち木の枝に固定する手段を有する鳥用給餌具。
【請求項２】
前記餌具本体の上面所定の位置に、少なくとも一箇所の餌の固定手段を設けた請求項１に記載の鳥用給餌具。
【請求項３】
前記餌具本体を、木の葉や花に類似させた形状や色彩にして設けた請求項１または請求項２に記載の鳥用給餌具。
【請求項４】
前記餌具本体を立ち木の枝に固定する手段として、弾性を有する逆Ｕ文字止め具または通しバンドを設けた請求項２または請求項３に記載の鳥用給餌具。
【発明の詳細な説明】
【技術分野】
【０００１】  本発明は、例えば庭先や公園およびベランダ等に設置して野鳥や鳥を招き、餌を与えたり、目の前でのバードウオッチングを楽しむための鳥用給餌具に関するものである。
【背景技術】
【０００２】  従来から、例えば庭先や公園およびベランダやバルコニー等に設置して野鳥を招き、バードウオッチングを楽しむための鳥用給餌具が市販されているが、このようなバードウオッチングを楽しむための鳥用給餌具は、一般に所定の場所に据付設置されたり、単に枝などに吊り下げられる構造になっている。また、一部には巣箱と兼用になっていて、その中の状態は分かりにくいものである。更に、より真近に窓際で観察できるように、窓の外に固定手段を有する餌台を受ける窓枠付き板に半透明鏡を設け、鳥が窓内の人の姿を見れなくしたものが開示されている。（例えば特許文献１参照。）
【参考文献】
【特許文献１】  特開平８−１６８３２３
【発明の開示】
【発明が解決しようとする課題】
【０００３】  ところが従来のバードウオッチングを楽しむための鳥用給餌具は所定の場所に据付設置され、容易に移動させることができなく、また、周囲が囲まれた巣箱状のものは、鳥の姿や動作が見えないので、観察はできない。更に、前記の餌台を受ける窓枠付き板に半透明鏡を設けたものは、構造が複雑でありコストが高く、しかも窓への固定も不完全になりやすいという問題がある。したがって、庭先やベランダなどのどこにでも取り付けられ、確実に固定できると共に、容易に移動着脱できて、しかも安いコストのものを求める声も多く聞かれている。
このような問題を解決すると共に、多くの市場の要求にも応えようとするものである。
即ち、簡単な構造で容易に移動着脱固定できる、しかも安価な鳥用給餌具を提供することである。
【課題を解決するための手段】
【０００４】  上記の課題を解決するために、本発明の鳥用給餌具は、観察する鳥の大きさに対応する皿状の餌具本体を設け、該餌具本体を水平に保持しながら着脱容易にして、立ち木の枝に固定する手段を設けることである。【０００５】  また、前記餌具本体の上面所定の位置に、少なくとも一箇所の餌の固定手段を設けるとよい。【０００６】  また、前記餌具本体を、木の葉や花に類似させた形状や色彩にして設けると好ましい。【０００７】  更に、前記餌具本体を立ち木の枝に固定する手段として、弾性を有する逆Ｕ文字止め具または通しバンドを設けることも考えられる。
【発明の効果】
【０００８】  以上のとおり、本発明によれば、庭先の立ち木の枝や、ベランダ等に簡単な構造で容易に移動着脱固定できる、しかも安価な鳥用給餌具を提供することができる。その結果、至って身近において、バードウオッチングを楽しむことができる。【０００９】  また、餌の固定手段を設けることによって、りんごやみかん等の餌をしっかりと固定でき、鳥が食するとき給餌具本体上の餌を落下させることがないばかりでなく鳥が餌を啄ばむのに便利で食べれる部分がなくなるまで確実に食べることができる。【００１０】  さらに、餌具本体を、花や木の葉に類似させた形状や色彩にしたことによって、鳥に目立ち易く、多くの鳥を集めることができ、また、冬の間の枯れ木でも花が咲いたようにカラフルに楽しむことができる。
【発明を実施するための最良の形態】
【００１１】  本発明の実施の形態について図面を参照して説明する。図１は本発明の第一の実施例を示す斜視図である。図１に示すように、１は耐久性のプラスチック等適宜素材にて、少なくとも周囲が中央部より高い位置となる皿状に形成された餌受け本体である餌受け皿で、２は同じくプラスチック等の一般に多く用いられている、毛布等を干す場合に用いられる比較的大きめの物干し挟みタイプの枝止めピンチである。
この餌受け皿１は観察する鳥の大きさに対応させて、普通の小鳥の場合には直径が大体１０〜１２ｃｍでその深さは数ミリから１ｃｍ程が良い。形状は円形を始め楕円形や多角形でもよく、更にはりんごや各種の果物および各種の花や木の葉の形状も考えられる。また、小鳥への供水用の深い皿状でもよい。そして、この餌具本体である餌受け皿１を水平に保持しながら着脱容易にして、立ち木の枝に固定する手段として前記枝止めピンチ２に一体化して取り付けたり、接着剤で固着する。【００１２】  また、この枝止めピンチ２は先述のごとく一般的に市販されている比較的大きめの物干し挟みタイプのピンチで握持部（アーム）２１と、その反対側に挟持開閉口部２２を有して、中央の一部切り欠いた環状ばね２３で構成されている。また、握持部（アーム）は適宜幅を広くすることや、挟持開閉口部２２を図１のようにＹ文字に二本に分岐させると、木の枝等への取り付けが、より安定した固定ができて好ましい。【００１３】  更に、前記餌具本体の内側上面の中央部に、一箇所の餌の固定手段として先端が尖った短串状の餌止めピン３を垂直に立てて設けておくと良い。
なお、この餌止めピン３は餌の種類（小粒状等）によっては省略することも可能である。
【実施例２】
【００１４】  図２は本発明である鳥用給餌具の第二の実施例を示す斜視図である。図２で示すように、餌受け皿１をある程度深めの容器とするとともに、周囲の縁に丸みを付けた止まり縁を設けたものであり、そして、餌受け皿１の内側の底最下位部に数個の水抜き孔１２や一部分的に凹ませて水溜め１３を設けたものである。また、枝止めピンチ２を横置きにして枝止めピンチ２の握持部２１の一方の先端部に取り付けたものであって、この餌受け皿１およびその内部の水抜き孔１２や水溜め１３の有無と枝止めピンチ２との組み合わせや位置関係は実施例１（図１）と相互に組み合わせることもできる。【００１５】  こうした場合に於いては、餌受け皿１に深さがあるので、小粒の米や豆などを餌として与えたり、ピンに刺した果物と組み合わせて与えることも、同時に行なうことができる。
また、水抜き孔１２があるので雨等内部に入った水は排出されたり、水溜め１３があるので餌を食べながら、同時に水を飲むこともできる。
【実施例３】
【００１６】  そして、図３は本発明である鳥用給餌具の第三の実施例を示す斜視図である。図で示すように、餌受け皿本体１をハート形などの花や木の葉の形状や色彩にするとともに、餌受け皿１の底の外面に枝止めピンチ２とを分離して、餌受け皿１の着脱や交換が可能なようにジョイント４を設けたものであり、また、枝止めピンチ２を横置きにして、挟持開閉口部２２の一方の最高部位に取り付けたもので、更に枝止めピンチ２の挟持口部の内側には滑り止め突起としての歯２４を設けたものである。尚、この滑り止め材としては、歯２４に代わってシート状の各種摩擦材でもよい。前記のこれらの餌受け皿１と枝止めピンチ２との組み合わせや位置関係および枝止めピンチ２の挟持開閉口部２２の内側における滑り止め材としての歯２４等は、先述の実施例１（図１）および実施例２（図２）と相互に自由に組み合わせても何等問題なく、利用場面に応じてのバリエーションを変化させることが最も好ましい。【００１７】  尚、前記ジョイント４として、本実施例は単に円筒はめ込み式としているが、この他嵌合ネジ式や、通しボルト蝶ナット式、ホック式および角度変化に対応できるボールホールダ式や自在リンク式等が考えられる。【００１８】  こうした場合に於いては、容器の着脱や交換が可能となり、容器の種類に応じて交換して楽しんだり、また、一方だけが破損した場合にはその相手だけを交換すればよいので経済的でもある。更に、枝止めピンチ２の握持部（アーム）２１が両方とも握ることができるので、立ち木の枝への着脱作業が容易となる。【００１９】  図４は本発明の実際に使用している場面の斜視図である。
このように、庭先の立ち木の枝６に、ピンチ作用で簡単に取り付けることができて、鳥たちも餌５を食べやすいし、そのしぐさを近くで楽しむことができる。特に雀やめじろ及びひよどり等が餌を食べに来るので、効果的である。
【実施例４】
【００２０】  図５は本発明である鳥用給餌具の第四の実施例を示す斜視図である。図で示すように、餌受け皿本体１を弾性を有する材料にて皿部から簡単な逆Ｕ字形止め具７の挟持開閉口を有する皿保持部まで全てを一体成形とした極めて安価なものも考えられる。
【実施例５】
【００２１】  図６は本発明である鳥用給餌具の第五の実施例を示す斜視図である。図で示すように、餌受け皿本体１の底裏面にバンド通し台８１を固着または一体的に設けて、逆止め付きバンド８によって立ち木枝６に縛り付けることもできる。給餌具の設置場所を変える、その都度逆止め付きバンド８は取り外しすることや、新品のバンドに交換することもできる。【００２２】  前記図５および図６で示す、更に簡単な固定手段としたことによって、より一層シンプル、コンパクトで安価な鳥用給餌具とすることができる。
尚、該固定手段を除いては、先述の実施例１（図１）、実施例２（図２）および実施例３（図３）と部分的な構成部を相互に自由に組み合わせても何等問題なく、利用場面に応じてのバリエーションを変化させることが最も好ましい。
これまで、上記のようにいくつかの実施例を挙げて説明したが、本発明はこれらの実施例に限定されるものではない。
【図面の簡単な説明】
【００２３】
【図１】本発明の第一の実施例を示す斜視図である。
【図２】本発明の第二の実施例を示す斜視図である。
【図３】本発明の第三の実施例を示す斜視図である。
【図４】本発明の使用状態を示す説明図である。
【図５】本発明の第四の実施例を示す斜視図である。
【図６】本発明の第五の実施例を示す斜視図である。
【符号の説明】
【００２４】１    餌受け皿（餌具本体）
１１  皿縁部
１２  水抜き孔
１３  水溜め
２    枝止めピンチ
２１  握持部（アーム）
２２  挟持開閉口部
２３  ばね
２４  歯（滑り止め突起）
３    餌止めピン
４    ジョイント
５    餌
６    立ち木枝
７    逆Ｕ字形止め具
８    逆止め付きバンド
８１  バンド通し台
【図１】
2007006870.tif 000003
【図２】
2007006870.tif 000004
【図３】
2007006870.tif 000005
【図４】
2007006870.tif 000006
【図５】
2007006870.tif 000007
【図６】
2007006870.tif 000008